(57)【要約】【課題】シンクの美観の向上を図ることが可能なシンク用ラックを提供することを目的とする。【解決手段】本発明にかかるシンク用ラックの構成は、角部に排水口１２０を備えるシンク１００に設置されるシンク用ラック（ラック１６０）であって、上方が開口したかご部１６２と、かご部１６２の上部にあって、排水口１２０が配置された角部の左右両側の上面に引っ掛けられる引掛け部１６４ａ・１６４ｂとを備え、かご部１６２は、平面視において排水口１２０と同じ形状であることを特徴とする。【選択図】図２
2016033311.tif 000002
【特許請求の範囲】
【請求項１】
角部に排水口を備えるシンクに設置されるシンク用ラックであって、
上方が開口したかご部と、
前記かご部の上部にあって、前記排水口が配置された角部の左右両側の上面に引っ掛けられる引掛け部とを備え、
前記かご部は、平面視において前記排水口と同じ形状であることを特徴とするシンク用ラック。
【請求項２】
前記かご部は平面視において三角形であることを特徴とする請求項１に記載のシンク用ラック。
【発明の詳細な説明】
【技術分野】
【０００１】
本発明は、キッチン用シンクに設置されるシンク用ラックに関するものである。
【背景技術】
【０００２】
従来からキッチンでは、キッチンキャビネットにシンクが一体に組み込まれていて、かかるシンクにおいて食材の調理や食器の洗浄が行われる。一般にシンクには、食器等の洗浄時に使用する洗剤やスポンジ等を収容するためのシンク用ラックや、調理時に発生した野菜くず等を捨てるためのごみかご（三角コーナーとも称される）が設けられる。例えば特許文献１のシンクでは、シンク奥側の角部に生ごみ収納部および洗剤収納ポケットを配置している。
【先行技術文献】
【特許文献】
【０００３】
【特許文献１】特開平１１−２４１３８４号公報
【発明の開示】
【発明が解決しようとする課題】
【０００４】
上述したように、シンクにシンク用ラックやごみかごを配置することにより、シンクにおける作業性を高めることができる。ここで、キッチン用シンクは使用者の目に触れるものであるため高い美観が求められている。しかしながら、特許文献１のように単にシンク用ラック等を配置した構成であると違和感が生じるため、美観に優れているとは言い難く、より美観を高めることが可能なシンク用ラックが検討されていた。
【０００５】
またシンク用ラックには濡れたスポンジやタワシ類が収納されるため、水が滴る場合がある。するとシンクが乾いた後に滴った水の跡が残ることになり、清掃後の美観を保ちにくいという問題がある。
【０００６】
本発明は、このような課題に鑑み、シンクの美観の向上を図ることが可能なシンク用ラックを提供することを目的としている。
【課題を解決するための手段】
【０００７】
上記課題を解決するために、本発明にかかるシンク用ラックの代表的な構成は、角部に排水口を備えるシンクに設置されるシンク用ラックであって、上方が開口したかご部と、かご部の上部にあって、排水口が配置された角部の左右両側の上面に引っ掛けられる引掛け部とを備え、かご部は、平面視において排水口と同じ形状であることを特徴とする。
【０００８】
上記構成によれば、シンク用ラック（以下、ラックと称する）と排水口とが平面視において同じ形状であるため、統一感を高めることができ、シンクにおける美観を向上させることが可能となる。また排水口がシンクの角部に配置されることにより、排水口周辺のデッドスペースを減らすことができ、シンク底面を最大限利用することが可能となる。
【０００９】
更に、平面視で排水口と同じ形状のラックがかかる排水口の上方に配置されることにより、ラックを配置するためにシンク底面の領域を占有することがなく排水口によりデッドスペースとなっている領域を有効的に活用することができる。したがって、シンク底面の利用効率を更に高めることが可能となる。またラックが、シンク底面ではなく排水口の上方に配置されることにより、ラックに収容されたスポンジ等からのシンク底面への水滴の滴り落ちがなくなるため、ぬめりの発生が抑制される。したがって、シンク底面において高い清潔性および清掃性を得ることが可能である。
【００１０】
上記かご部は平面視において三角形であるとよい。かかる構成によれば、シンクの角部外へのラックの張出が抑制される。したがって、シンク底面の利用効率をより高めることが可能となる。またラックの収納物から滴った水を排水口内に確実に落下させることができる。
【発明の効果】
【００１１】
本発明によれば、シンクの美観の向上を図ることが可能なシンク用ラックを提供することができる。
【図面の簡単な説明】
【００１２】
【図１】本実施形態にかかるシンク用ラックが設置されるキッチン用シンクの全体斜視図である。
【図２】本実施形態にかかるシンク用ラックが設置されるキッチン用シンクの全体斜視図である。
【図３】図２の断面図である。
【図４】本実施形態のラックの他の配置例を示す図である。
【発明を実施するための形態】
【００１３】
以下に添付図面を参照しながら、本発明にかかるシンク用ラックの好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１４】
図１および図２は、本実施形態にかかるシンク用ラックが設置されるキッチン用シンクの全体斜視図であり、図１は、シンク用ラックが設置される前の状態のキッチン用シンクを例示していて、図２は、シンク用ラックが設置された後の状態のキッチン用シンクを例示している。なお、以下の説明では、シンク用ラックをラック１６０と称し、キッチン用シンクをシンク１００と称する。
【００１５】
図１および図２に示すように、本実施形態にかかるシンク１００は、傾斜面１１０、排水口１２０および誘導溝１３０を含んで構成される。傾斜面１１０は、シンク１００の底面であり、その周囲の縁からは壁面１４０が立設している。また本実施形態では、シンク１００の奥側の左隅に、壁面１４０から連続し、水栓（不図示）が取り付けられる取付孔１５２が上面に配置された膨出部１５０が設けられている。更に本実施形態では、シンク１００において、膨出部１５０の手前側の角部に、傾斜面１１０の側縁１１２ｂに沿うように排水口１２０が配置されている。
【００１６】
図３は、図１の断面図であり、図３（ａ）は図１のＡ−Ａ断面図であり、図３（ｂ）は図１のＢ−Ｂ断面図であり、図３（ｃ）は図１のＣ−Ｃ断面図である。図３（ａ）に示すように傾斜面１１０は、奥行き方向で手前側に向かうにしたがって下方に傾斜している。これにより、水栓からの水は、矢印Ｄ１方向、すなわちシンク１００の手前側に向かって流れていくこととなる。
【００１７】
図１および図２に示すように、誘導溝１３０は、傾斜面１１０の手前側の縁（以下、手前縁１１２ａと称する）から側縁１１２ｂに沿って延びて排水口１２０に連続している。説明の便宜上、本実施形態では、シンク１００の手前側の左コーナーを境に、傾斜面１１０の手前縁１１２ａに沿って延びる、すなわちシンク１００の長手方向に延びる誘導溝を長手側誘導溝１３０ａと称し、傾斜面１１０の側縁１１２ｂに沿って延びる、すなわちシンク１００の短手方向に延びる誘導溝を短手側誘導溝１３０ｂと称する。またこれらの長手側誘導溝１３０ａおよび短手側誘導溝１３０ｂの両方をさす場合には誘導溝１３０と称する。
【００１８】
図３（ｂ）および（ｃ）に示すように、誘導溝１３０である長手側誘導溝１３０ａおよび短手側誘導溝１３０ｂは、傾斜面１１０よりも下方に窪んだ溝であり、排水口１２０に向かうにしたがって下方に傾斜している。詳細には、図３（ｂ）に示すように、長手側誘導溝１３０ａは、左右方向において排水口１２０が設けられている側（本実施形態においては左側）に向かうにしたがって下方に傾斜している。図３（ｃ）に示すように、短手側誘導溝１３０ｂは、奥行き方向において排水口１２０が設けられている側、すなわち奥側に向かうにしたがって下方に傾斜している。
【００１９】
上記説明したように、本実施形態のシンク１００において、その底面となる傾斜面１１０は、従来のような排水口１２０に向かうすり鉢状の傾斜ではなく、かかる傾斜面１１０の手前側に設けられた誘導溝１３０（厳密には長手側誘導溝１３０ａ）に向かう平坦な傾斜である。そして、水栓が取り付けられる取付孔１５２がシンク１００の奥側に設けられていることから、傾斜面１１０において、水栓からの吐水位置は、野菜くず等が発生する手前側の領域よりも上流側に位置することとなる。これにより、図１に模式的に示す野菜くず等（以下、野菜くず１０２と称する）は、傾斜面１１０の奥側（上流側）からＤ１方向に流れてきた水流によって長手側誘導溝１３０ａに向かって流される。
【００２０】
そして、長手側誘導溝１３０ａが排水口１２０に向かうにしたがって下方に傾斜していることにより、長手側誘導溝１３０ａに流れこんだ野菜くず１０２は、それと一緒に長手側誘導溝１３０ａに流れ込んだ水流によって、図１に示す矢印Ｄ２方向、すなわち排水口１２０と連続している短手側誘導溝１３０ｂに向かって流れていく。このとき、短手側誘導溝１３０ｂにおいても排水口１２０に向かうにしたがって下方に傾斜していることにより、短手側誘導溝１３０ｂに流れ込んだ野菜くず１０２は、そこに流れ込んだ水によって矢印Ｄ３方向に流されて排水口１２０に至り、短手側誘導溝１３０ｂを流れる水は排水口１２０へと導かれる。
【００２１】
上記構成によれば、食器等を洗浄する際に流れた水が傾斜面１１０を流れることにより、傾斜面１１０の手前側の領域にある野菜くず１０２が自然に誘導溝１３０に向かって流れ、排水口１２０に案内される。したがって、食器等の洗浄作業が終了する頃には野菜くず１０２の除去も完了することとなる。これにより、使用者は従来のような野菜くず１０２をかき集める作業が不要となり、高い快適性を得ることが可能となる。
【００２２】
また野菜くず１０２が洗浄作業時の水流によって自然に排水口１２０に移動することにより、シンク１００の底面（傾斜面１１０）への野菜くずの滞留が防がれる。特に傾斜面１１０が平坦に傾斜していることにより、従来のようなすり鉢状の傾斜の場合よりも広い領域に水流が流れ、野菜くず１０２の滞留が一層抑制される。これにより、野菜くず１０２の滞留に起因するシンク１００の底面への汚れの付着を好適に防ぐことができ、常に清潔な状態を保つことができる。したがって、使用者はシンク１００の清掃を容易に行うことができ、高い清掃性を得ることが可能となる。
【００２３】
更に本実施形態では、排水口１２０を、傾斜面１１０の左右方向において、水栓が配置される側、すなわち取付孔１５２が設けられる側に寄せて配置している。これにより、水栓からの水の流れによって傾斜面１１０に落ちた野菜くず１０２が排水口１２０に向かって流れやすくなり、上述した効果をより高めることが可能となる。
【００２４】
また排水口１２０は、傾斜面１１０の左右方向において、キッチンの調理スペース（不図示）が設けられる側に寄せて配置されているとよい。本実施形態では、キッチンの調理スペースがシンク１００の左側に設けられることを想定し、排水口１２０をシンク１００の左側に寄せて配置している。これにより、キッチンの調理スペースで発生した野菜くず１０２が排水口１２０側に落下するため、野菜くず１０２が流水によって流れやすくなる。
【００２５】
本実施形態の特徴として、シンク１００には、図１に示すラック１６０が設置される。図１に示すように、本実施形態のラック１６０は、かご部１６２および引掛け部１６４ａ・１６４ｂを含んで構成される。かご部１６２は、上方が開口していて、その内部に、シンク１００において使用される洗剤やスポンジ等（共に不図示）を収容する。かご部１６２の上部には引掛け部１６４ａ・１６４ｂが取り付けられている。
【００２６】
図２に示すように、ラック１６０は、引掛け部１６４ａ・１６４ｂによって、排水口１２０が配置された角部の左右両側の上面に引っ掛けられる。本実施形態では、シンク１００の左側の側壁１４２の上面に引掛け部１６４ａを、膨出部１５０の上面に引掛け部１６４ｂを引っかけている。これにより、シンク１００において、膨出部１５０の手前側の角部に配置される排水口１２０の上方にラック１６０が設置される。
【００２７】
図２に示すように排水口１２０の上方にラック１６０が設置されることにより、ラック１６０はシンク１００の底面に設置面積を要しない。これにより、シンク１００の底面にラック１６０を載置した場合に比して、シンク１００の底面のより広い領域を使用することができ、底面の利用効率を高めることが可能となる。またラック１６０が排水口１２０の上方に配置されることにより、ラック１６０に収容されたスポンジ等からのシンク１００の底面（傾斜面１１０）への水滴への滴り落ちを防ぐことができる。したがって、シンク１００の底面のぬめりを抑制することができ、清掃性および清潔性を高めることが可能となる。
【００２８】
特に本実施形態では、図１に示すように、平面視において、かご部１６２の形状を排水口１２０と同一としている。これにより、図２に示すように、ラック１６０と排水口１２０に一体感をもたせることができるため、ラック１６０を配置した際の違和感を低減し、美観の向上を図ることが可能となる。また、ラック１６０のいずれの箇所から水が滴ったとしても、確実に排水口１２０の中に落下させることができる。言い換えると、滴った水が排水口１２０の中に落ちるという条件において、ラック１６０の底面積を最大限にすることができる。
【００２９】
また本実施形態では、ラック１６０のかご部１６２は、平面視において三角形状である。これにより、シンク１００の角部外へのラック１６０の張出が低減されるため、シンク底面の利用効率をより高めることが可能となる。なお、本実施形態では、かご部１６２が平面視において三角形状のラックを例示したが、これに限定するものではなく、かご部１６２は三角形以外の形状であってもよい。
【００３０】
図４は、本実施形態のラック１６０の他の配置例を示す図である。図４に示すように、上記説明したラック１６０は、排水口１２０の上方ではなく、従来のようにシンク１００の他の角部に配置することも可能である。このように、本実施形態のラック１６０は、使用者が、自分が使い勝手が良い箇所に適宜設置することができる。
【００３１】
なお、本実施形態では、シンク１００の形状を横長の四角形状としているが、これに限定するものではなく、シンク１００は、例えば丸型やＬ字型等の他の形状としてもよい。また図１および図２に示すシンク１００では膨出部１５０を備える構成を例示しているが、これにおいても限定されず、図４に示すように、膨出部１５０を設けずに、シンク１００の外側に水栓が取り付けられる構成とすることも可能である。更に、膨出部１５０ひいては水栓（取付孔１５２）の位置においても、必ずしもシンク１００の奥側の左隅とする必要はなく、中央や右隅等、任意の位置に配置してよい。
【００３２】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００３３】
本発明は、キッチン用シンクに設置されるシンク用ラックとして利用することができる。
【符号の説明】
【００３４】
１００…シンク、１０２…野菜くず、１１０…傾斜面、１１２ａ…手前縁、１１２ｂ…側縁、１２０…排水口、１３０…誘導溝、１３０ａ…長手側誘導溝、１３０ｂ…短手側誘導溝、１４０…壁面、１５０…膨出部、１５２…取付孔、１６０…ラック、１６２…かご部、１６４ａ…引掛け部、１６４ｂ…引掛け部
【図１】
2016033311.tif 000003
【図２】
2016033311.tif 000004
【図３】
2016033311.tif 000005
【図４】
2016033311.tif 000006